(57)【要約】【課題】螺子を用いて波板を屋根用梁に固定する構造の屋根材取付構造において、波板単品の幅寸法の規制が無く、現行の波板がそのまま使用できるようにしながら、波板からの螺子頭部の突出による積雪の滑落阻害や水浸入のおそれが解消されるようにする。【解決手段】屋根用波板１を、これを貫通する螺子３を用いて屋根用波板１の下方に位置する屋根用梁４に取付ける止着部Ｓが形成されている屋根材取付構造において、螺子３の螺子頭部３ａと屋根用波板１との間に、端部に被係合部９が形成されるワッシャ８が介装され、屋根用波板１の波筋方向で隣合う止着部Ｓどうしを螺子３の上から被さる状態で覆う断面形状が上向きに凸となる長尺状のカバー部材１０が、これに形成されている係合部１１と被係合部９との係合による外れ規制状態でワッシャ８に装着されるように構成する。【選択図】図１
2007218034.tif 000002
【特許請求の範囲】
【請求項１】
屋根用波板を、これを貫通する螺子を用いて前記屋根用波板の下方に位置する屋根用梁に取付ける止着部が形成されている屋根材取付構造であって、
前記螺子の螺子頭部と前記屋根用波板との間に、端部に被係合部が形成されるワッシャが介装され、屋根用波板の波筋方向で隣合う前記止着部どうしを前記螺子の上から被さる状態で覆う断面形状が上向きに凸となる長尺状のカバー部材が、これに形成されている係合部と前記被係合部との係合による外れ規制状態で前記ワッシャに装着されるように構成されている屋根材取付構造。
【請求項２】
前記被係合部は、前記ワッシャにおける屋根用波板の波形成方向の両端部の夫々に形成され、前記カバー部材は前記ワッシャを内包する状態で装着されている請求項１に記載の屋根材取付構造。
【請求項３】
前記被係合部が、屋根用波板の波谷又はほぼ波谷に位置する状態に形成されている請求項２に記載の屋根材取付構造。
【請求項４】
前記螺子頭部と前記屋根用波板との間に介装された状態における前記ワッシャの波形成方向での端部が、前記波谷又は前記波谷から屋根用波板の波山に架けての斜面に沿う又はほぼ沿う状態に寸法設定されており、前記螺子の回動操作に伴う前記ワッシャの連れ回りが規制される状態に構成されている請求項２又は３に記載の屋根材取付構造。
【請求項５】
前記カバー部材は、前記波形成方向にその先端側ほど下方となる傾斜状態で伸びる左右一対のスカート壁を有し、それら各スカート壁の下端部に前記被係合部に対応する前記係合部が形成されることにより、前記カバー部材が前記ワッシャに弾性係合して装着されるように構成されている請求項２〜４の何れか一項に記載の屋根材取付構造。
【請求項６】
前記ワッシャと前記屋根用波板との間に弾性材製のシールリングが介装されている請求項１〜５の何れか一項に記載の屋根材取付構造。
【発明の詳細な説明】
【技術分野】
【０００１】
本発明は、駐車場、家畜棟、倉庫等の屋根材として好適な屋根用波板の取付構造に係り、詳しくは、屋根用波板を、これを貫通する螺子を用いて前記屋根用波板の下方に位置する屋根用梁に取付ける止着部が形成されている屋根材取付構造に関するものである。
【背景技術】
【０００２】
この種の屋根材取付構造としては、従来は図６に示されるような構造が採用されていた。即ち、波板２１の波山（波山の頂部）２１ａにセルフドリルネジ（螺子）２３を螺入することで挿通孔２２を形成しながら貫通させて屋根用梁（図示省略）に取付けるのであり、挿通孔２２からの水漏れ防止や波板２１を局部変形を少なくして押えるために波形状に沿った底面形状を有する鉢伏状のワッシャ（座金）２８を、ネジ頭部２３ａと波板２１との間に介装する構造の止着部Ｓとされていた。ワッシャ２８は鋼板プレス製のものが一般的であり、また、ワッシャ２８とネジ頭部２３ａとの間には、鉢伏状の押え板２６によって大部分が覆われた状態のリングゴム２７が介装されることが多い。
【０００３】
図６に示す上記の屋根材取付構造では、波板２１の波山２１ａからネジ頭部２３ａが上方突出しているので、豪雪地方等の雪の降る地域においては、その突出しているネジ頭部２３ａによって波板２１上の雪が滑り落ちることを妨げ、積雪の円滑な滑落を阻害する要因になるという問題があった。また、波板２１上の積雪が長時間に亘って解ける際に、解けた水が表面張力の作用も手伝うことで挿通孔２２を伝って波板下方側（屋内側）に浸入するおそれがある、という問題もあった。
【０００４】
そこで対策として、特許文献１において開示されるように、波板単品における波形成方向の一端部が、隣り合う波板における波形成方向の他端部を覆う状態で被せて係合連結する構造とすることにより、前記他端部に設けられる波板取付用ボルトのボルト頭部を隠すようにした構成を採ることが考えられる。この構成を用いれば、ボルト頭部の出っ張りが解消されて積雪の円滑な滑落移動が期待できるとともに、ボルト挿通孔からの水浸入おそれも解消可能となる利点がある。
【０００５】
しかしながらこの特許文献１の手段では、波板の形状を新たに作らねばならず、現行品が使えず、新たな設備投資が必要になる問題があるとともに、ボルト止めされる箇所が波板における波形成方向の一端のみとなるため、波板単品での幅寸法が限られてしまい、幅の広いものが設定できないという不都合もあるため、その実現は困難であり、さらなる改善の余地が残されているものであった。
【特許文献１】特開２００４−１５０２５９号公報
【発明の開示】
【発明が解決しようとする課題】
【０００６】
本発明の目的は、螺子を用いて波板を屋根用梁に固定する構造の止着部を有する屋根材取付構造において、波板単品の幅寸法の規制が無く、現行の波板がそのまま使用できるようにしながら、波板からの螺子頭部の突出による積雪の滑落阻害や水浸入のおそれが解消されるようにする点にある。
【課題を解決するための手段】
【０００７】
請求項１に係る発明は、屋根用波板１を、これを貫通する螺子３を用いて前記屋根用波板１の下方に位置する屋根用梁４に取付ける止着部Ｓが形成されている屋根材取付構造において、
前記螺子３の螺子頭部３ａと前記屋根用波板１との間に、端部に被係合部９が形成されるワッシャ８が介装され、屋根用波板１の波筋方向で隣合う前記止着部Ｓどうしを前記螺子３の上から被さる状態で覆う断面形状が上向きに凸となる長尺状のカバー部材１０が、これに形成されている係合部１１と前記被係合部９との係合による外れ規制状態で前記ワッシャ８に装着されるように構成されていることを特徴とするものである。
【０００８】
請求項２に係る発明は、請求項１に記載の屋根材取付構造において、前記被係合部９は、前記ワッシャ８における屋根用波板１の波形成方向の両端部の夫々に形成され、前記カバー部材１０は前記ワッシャ８を内包する状態で装着されていることを特徴とするものである。
【０００９】
請求項３に係る発明は、請求項２に記載の屋根材取付構造において、前記被係合部９が、屋根用波板１の波谷１ｂ又はほぼ波谷１ｂに位置する状態に形成されていることを特徴とするものである。
【００１０】
請求項４に係る発明は、請求項２又は３に記載の屋根材取付構造において、前記螺子頭部３ａと前記屋根用波板１との間に介装された状態における前記ワッシャ８の波形成方向での端部９ａが、前記波谷１ｂ又は前記波谷１ｂから屋根用波板１の波山１ａに架けての斜面１ｃに沿う又はぽぼ沿う状態に寸法設定されており、前記螺子３の回動操作に伴う前記ワッシャ８の連れ回りが規制される状態に構成されていることを特徴とするものである。
【００１１】
請求項５に係る発明は、請求項２〜４の何れか一項に記載の屋根材取付構造において、前記カバー部材１０は、前記波形成方向にその先端側ほど下方となる傾斜状態で伸びる左右一対のスカート壁１０Ｂ，１０Ｂを有し、それら各スカート壁１０Ｂ，１０Ｂの下端部に前記被係合部９に対応する前記係合部１１が形成されることにより、前記カバー部材１０が前記ワッシャ８に弾性係合して装着されるように構成されていることを特徴とするものである。
【００１２】
請求項６に係る発明は、請求項１〜５の何れか一項に記載の屋根材取付構造において、前記ワッシャ８と前記屋根用波板１との間に弾性材製のシールリング７が介装されていることを特徴とするものである。
【発明の効果】
【００１３】
請求項１の発明によれば、屋根用波板を屋根用梁に固定するための螺子の螺子頭部を覆うカバー部材は、螺子頭部と屋根用波板との間に介装されるワッシャに対して外れ規制状態で係合装着されるので、専用のワッシャは新たに必要にはなるが、屋根用波板は今までのものをそのまま使用することができる。加えて、螺子の配置箇所を屋根用波板の端部に限定されることが無く、従来通り波筋方向及び波形成方向のいずれに複数箇所設けることが自在であり、屋根用波板の幅寸法が制限されることが無くなる。また、当然ながらカバー部材の止着部への装着により、上方突出する螺子頭部によって積雪の円滑な滑落が阻害されることが無く、屋根から円滑に積雪を滑落させることができるとともに、螺子を貫通させるための貫通孔から雪解け水が浸入するおそれも解消されるようになる。その結果、螺子を用いて波板を屋根用梁に固定する構造の止着部を有する屋根材取付構造において、波板単品の幅寸法の規制が無く、現行の波板がそのまま使用できるようにしながら、波板からの螺子頭部の突出による積雪の滑落阻害や水浸入のおそれが解消されるようにすることができる。
【００１４】
請求項２の発明によれば、屋根用波板の上側に存在するワッシャもカバー部材で覆われるので、ワッシャによって屋根上の積雪が滑落することを妨げることも起きないので、請求項１の発明による前記効果が強化されるようになる。また、被係合部はワッシャにおける波形成方向の端部に存在するので、断面形状が凸状を呈するカバー部材における波形成方向での端部に、対応する係合部を兼用構成することが可能となる利点もある。
【００１５】
請求項３の発明によれば、ワッシャとしての波形成方向端部が屋根用波板の波谷又はほぼ波谷に位置するので、カバー部材の波形成方向端部も屋根用波板の波谷又はほぼ波谷に位置するようになり、カバー部材の上に積もった雪又は雨水が波形成方向に滑落又は流れた場合には、それら雪や水は屋根用波板の波谷に位置することになる。従ってそれら雪や水は波谷に沿って軒の方向に滑落又は流れて行き、螺子の存在する波山に雪解け水や雨水をより及び難くすることができ、螺子を貫通させるための貫通孔への水浸入おそれの回避効果を向上させることが可能になる。
【００１６】
請求項４の発明によれば、ワッシャの波形成方向の端部が屋根用波板の傾斜面に沿うことによって回り止めされるので、螺子を回して締め込む操作の際にワッシャが連れ回りすることが規制される便利さがある。加えて、その回り止め作用により、ワッシャが螺子を中心とする回動方向においては位置決めされるようになるから、波筋方向で並ぶ止着部（ワッシャ）に架けてカバー部材を取付けるに適した状態にワッシャを位置決めする専用の操作が不要になり、その分、屋根用波板の取付施工性を向上させることができる。
【００１７】
請求項５の発明によれば、左右一対のスカート壁の係合部と左右の係合部とが係合することにより、カバー部材がワッシャに弾性係合して装着されるので、ガタツキなく、また強風が吹いても揺れたり外れたりすること無く強固にカバー部材を屋根に装備することができる屋根材取付構造が提供される。また、請求項６のように、ワッシャと屋根用波板との間に弾性材製のシールリングを介装すれば、それによって貫通孔からの水浸入防止をより確実化できるとともに、ワッシャと屋根用波板との干渉による異音やガタツキ、並びにそれによる屋根用波板表面の傷付が解消可能となる利点もある。
【発明を実施するための最良の形態】
【００１８】
以下に、本発明による屋根材取付構造の実施の形態を、図面を参照しながら説明する。図１〜図３は実施例１による屋根材取付構造を示し、図４は防雪カバーの構造が異なる実施例２の屋根材取付構造を、図５は防雪カバーの形状が図４のものと異なる実施例３の屋根材取付構造を示している。
【００１９】
〔実施例１〕
屋根及び実施例１による屋根材の取付構造を図１〜図３に示す。屋根Ｙは、豚舎、鶏小屋、或いは倉庫等の屋根であり、屋根用波板１を用いた構造となっている。その屋根材である屋根用波板１は、これに形成された貫通孔２に挿入されるボルト（螺子の一例）３により、屋根用波板１の下方に配置されている屋根用梁４に取付けられている。ボルト３やワッシャ８等により、屋根用波板１を屋根用梁４に取付ける止着部Ｓが構成されている。また、屋根用波板１を取付けるボルト３のボルト頭部（螺子頭部の一例）３ａを隠す防雪カバー（カバー部材の一例）１０が装備されている。
【００２０】
屋根用波板１は、メッキ等の防錆や外観のための防錆処理が施された鋼板や合成樹脂製の波板１Ａと、平な底面５を有する断熱材（防音断熱材）１Ｂとの二層から構成されている。波板１Ａは、波山１ａ、波谷１ｂ、及びこれら両者１ａ，１ｂを繋ぐ傾斜面１ｃを有して成る一般的なものであり、隣合う波山１ａ，１ａどうし（又は隣合う波谷１ｂ，１ｂどうし）を結ぶ方向（図１の矢印イ方向）を波形成方向と定義する。また、波山１ａに沿う方向、又は波谷１ｂに沿う方向（図１の矢印ロ方向）を波筋方向と定義する。図２に示すように、実際の屋根Ｙおいては、屋根筋方向に上下の勾配が付く状態で屋根用波板１が用いられる。
【００２１】
図１、図３に示すように、ボルト３のボルト頭部３ａと屋根用波板１との間には、お椀状（鉢伏状）の押え板６と、ゴム（弾性材の一例）製のシールリング７と、ワッシャ８と、ゴム製シールリング７とがこの順に上から下に並べて介装されており、ボルト下端部のネジ部３ｂを屋根用梁４の上面に形成されたナット部４ａに螺着することにより、屋根用波板１を弾性付勢状態で屋根用梁４に取付け固定する止着部Ｓが構成されている。シールリング７と押え板６とは、シールリング７が押え板６に嵌り込み可能となる相対寸法に設定されている。
【００２２】
ワッシャ８は、左右（矢印イ方向を左右向きとする）の両端部に被係合部９が形成されたプレス製鋼板や合成樹脂材等から成るものであり、図２に示すように、屋根用波板１の波筋方向（矢印ロ方向）で隣合う止着部Ｓどうしをボルト３の上から被さる状態で覆う断面形状が上向きに凸となる長尺状の防雪カバー（カバー部材の一例）１０が、これに形成されている左右の係合部１１，１１と被係合部９，９との係合による外れ規制状態で複数のワッシャ８に装着されるように構成されている。
【００２３】
ワッシャ８は、ボルト挿通孔８ａを有する平面状の上壁８Ａと、その左右両端から斜め下方に伸びる左右の斜壁８Ｂ，８Ｂとから成り、各斜壁８Ｂ，８Ｂに被係合部９が形成されている。斜壁８Ｂは、上壁８Ａに続く基壁部８ｂと、基壁部８ｂの下端に続いて内方向に（基壁部８ｂの傾斜方向とは逆方向に）傾斜する中間壁部８ｃと、中間壁部８ｃの下端に続く下壁部８ｄとから成る段差壁に形成されており、中間壁部８ｃと下壁部８ｄとで被係合部９が構成されている。
【００２４】
防雪カバー１０は、図１、図２に示すように、平面状の頂壁１０Ａと、これの波形成方向（矢印イ方向）にその先端側ほど下方となる傾斜状態で伸びる左右一対のスカート壁１０Ｂ，１０Ｂとを有する断面形状が上向きに凸となって波筋方向（矢印ロ方向）に延びる長尺状の板金部材（又は合成樹脂材）に構成されており、各スカート壁１０Ｂ，１０Ｂの下端部に、被係合部９に対応する係合部１１が形成されている。各スカート壁１０Ｂは、頂壁１０Ａに続く上壁部１０ｂと、上壁部１０ｂの下端に続いて内方向に（上壁部１０ｂの傾斜方向とは逆方向に）傾斜する途中壁部１０ｃと、途中壁部１０ｃの下端に続く端壁部１０ｄとから成る段差壁に形成されており、途中壁部１０ｃと端壁部１０ｄとで係合部１１が構成されている。
【００２５】
ボルト３等によって屋根用波板１を屋根用梁４に取付けた組付状態においては、左右の被係合部９，９は、ワッシャ８における屋根用波板１の波形成方向（矢印イ方向）の両端部の夫々に形成されており、それら被係合部９，９は、屋根用波板１の波谷１ｂ又はほぼ波谷１ｂに位置する状態に形成されている。ワッシャ８の各被係合部９の下端縁９ａが、波谷１ｂ又は波谷１ｂから屋根用波板１の波山１ａに架けての斜面である傾斜面１ｃに沿う状態に寸法設定されており、ボルト３の回動操作に伴うワッシャ８の連れ回りが規制される状態に構成されている。
【００２６】
これにより、ボルトを回して締付操作する際には、手でワッシャ８を押えていなくても、ワッシャ８がボルトに連れ回りしてしまうことの防止が可能になる便利さがある。加えて、防雪カバー１０を装着するための姿勢、即ち、ワッシャ８の波形成方向の両端部（左右端部）に被係合部９，９が位置する正規の装着姿勢が自動的に現出されるので、単にボルト３の締付操作を行うだけで、ワッシャ８のボルトに対する回動方向に位置決めが為されるという便利さもある。
【００２７】
尚、図示は省略するが、ワッシャを二つ以上のボルト３に跨るような（防雪カバー１０と同様な）長尺状のものに設定することも可能であり、そうすればボルト締結時における連れ回りが解消されて便利である。そして、その長尺ワッシャにおける波形成方向の端部（両端部）における長手方向の全長に亘ってシール材を塗布して（仕込んで）おくことにより、波板１Ａとの密着性が高まって貫通孔２に対するより確実な防水性（シール性）が期待できる利点もある。
【００２８】
さて、防雪カバー１０は、図１や図２に示すように、波筋方向で隣合う止着部Ｓ、詳しくはボルト頭部３ａの上方に位置させ、その状態から下方に落し込み移動させることにより、左右のスカート壁１０Ｂ，１０Ｂが弾性変形して各ワッシャ８左右の斜壁８Ｂを乗り越えて、各係合部１１，１１が各被係合部９，９に嵌り込んだ装着状態を得ることができる。この装着状態は、途中壁部１０ｃと端壁部１０ｄとの境目に形成される角部１０ｋが、中間壁部８ｃと下壁部８ｄとの境目に形成される隅部８ｓに嵌り、かつ、各スカート壁１０Ｂ，１０Ｂが自由状態に戻ろうとする弾性力によって対応する斜壁８Ｂに弾性係合されており、それによってガタツキなく、また強風が吹いても強固に防雪カバー１０が各ワッシャ８に、即ち屋根Ｙに装着される。
【００２９】
防雪カカバー１０を設けたことにより、屋根用波板１を取付けるためのボルト３の波筋方向で並ぶ複数を隠して平滑な状態にできるため、積もった雪が突出したボルト頭部３ａに妨げられることが無く、速やかに滑落させることができて迅速な雪下ろし効果が期待できるものとなる。また、止着部Ｓ全体が防雪カバー１０によって覆われる構造のため、ボルト３が挿通されている屋根用波板１の貫通孔２に解けた雪が浸入するおそれも解消されるようになる。防雪カバーは、ワッシャ８に対して装着されるものであるから、屋根用波板１は現行品がそのまま使用できるとともに、止着部Ｓの位置や個数、及びナット部４ａが形成される屋根用梁４もなんらの変更無く、防雪カバー１０を設けることができる利点がある。
【００３０】
これにより、ワッシャ８を変更すれば、既設の屋根に本発明による防雪カバー１０を後付け装備することもできる。ワッシャ８は上下のシールリング７，７で挟持され、かつ、ワッシャ８と防雪カバー１０とは弾性係合しているので、防水性がより確実となり、風が吹いてもワッシャ８や防雪カバー１０が振動したり踊ったりすること、並びにそれによる異音発生も起きない。また、ワッシャ８はその両端縁９ａ，９ａと波板１Ａとの当接によって回り止めされるので、リング状を呈する通常のワッシャを装着する場合と同じくワンタッチ装着が可能であり、施工工数が従来と殆ど変わらない利点もある。
【００３１】
また、ボルト３による組付け状態で、ワッシャ８の左右の下端縁９ａが波板１Ａの表面に軽く押し付けられるように設定すれば、ワッシャ８の取付強度が増し、防雪カバー１０の取付強度も向上させることが可能である。
【００３２】
〔実施例２〕
実施例２による屋根材取付構造を図４に示す。この実施例２の屋根材取付構造は、実施例１における防雪カバーのみが異なるものである。即ち、図４に示すように、防雪カバー１０の各スカート壁１０Ｂは、その先端が内側に折り曲げられているものであって、傾斜した基本壁１０ｅと、これの先端を内側に折り曲げて成る内曲げ壁１０ｆと、内曲げ壁１０ｆの上端を外向きに折り曲げて成る先端壁１０ｇとから形成されている。
【００３３】
ワッシャ８に組み付けられた状態では、内曲げ壁１０ｆと先端壁１０ｇとの境目に形成される角部１０ｋが隅部８ｓに嵌り、かつ、各スカート壁１０Ｂ，１０Ｂが自由状態に戻ろうとする弾性力によって対応する斜壁８Ｂに弾性係合されており、それによって実施例２による防雪カバー１０は、ガタツキなく、また強風が吹いても強固に各ワッシャ８に、即ち屋根Ｙに装着される。
【００３４】
〔実施例３〕
実施例３による屋根材取付構造を図５に示す。この実施例３の屋根材取付構造は、実施例２における防雪カバーのみが異なるものである。即ち、図５に示すように、防雪カバー１０の各スカート壁１０Ｂの傾斜角度を、図４に示すもに比べて若干緩くすることにより、上壁８Ａと斜壁８Ｂとの境目に形成される上角部８ｒと基本壁１０ｅの裏面側とが当接し、かつ、基壁部８ｂと中間壁部８ｃとの境目に形成される下角部８ｋと先端壁１０ｇとが当接する状態としてある。
【００３５】
このように、実施例１や実施例２の場合とは逆に、防雪カバー１０が凹となり、かつ、ワッシャ８が凸となる状態でこれら防雪カバー１０がワッシャ８に弾性係合する構成としても、ガタツキなく、また強風が吹いても強固に防雪カバー１０をワッシャ８に、即ち屋根Ｙに装着することができる。
【００３６】
以上説明したように、本発明は、屋根用波板１を、これを貫通する螺子３を用いて屋根用波板１の下方に位置する屋根用梁４に取付ける止着部Ｓが形成されている屋根材取付構造において、螺子３の螺子頭部３ａと屋根用波板１との間に、端部に被係合部９，９が形成されるワッシャ８が介装され、屋根用波板１の波筋方向で隣合う止着部Ｓ，Ｓどうしを螺子３の上から被さる状態で覆う断面形状が上向きに凸となる長尺状のカバー部材１０が、これに形成されている係合部１１，１１と被係合部９，９との係合による外れ規制状態でワッシャ８に装着されるように構成されたものである。
【００３７】
カバー部材１０は、屋根用波板１から上方に突出している螺子頭部３ａを隠して覆うものであるから、ボルト３以外の突出物、例えばビス頭やスクリュー頭を覆うことによっても、屋根Ｙの積雪を円滑に滑落移動させる効果が得られる。従って、単なるボルト、ビス、スクリューや、自ら孔を形成しながら螺入されるセルフドリルネジ、タッピングスクリューでも良く、また、屋根用波板１の貫通孔２は、ボルト等の螺子挿通用として予め形成されているものでも、セルフドリルネジ等の螺子の螺入によって同時に形成されたものも含むものであり、「屋根用波板を貫通する螺子」という表現によってこれら双方の構成を定義している。
【図面の簡単な説明】
【００３８】
【図１】屋根材及び防雪カバーの取付構造を示す要部の断面図（実施例１）
【図２】図１の防雪カバー付の波板製屋根を示す縦断面図
【図３】図１の止着部構成を示す分解斜視図
【図４】実施例２による屋根材の取付構造を示す要部の断面図
【図５】防雪カバーの別弾性係合構造を示す要部の断面図（実施例３）
【図６】従来の屋根材取付構造を示す要部の断面図
【符号の説明】
【００３９】
１          屋根用波板
１ａ        波山
１ｂ        波谷
１ｃ        斜面
２          貫通孔
３          螺子
３ａ        螺子頭部
４          屋根用梁
７          シールリング
８          ワッシャ
９          被係合部
９ａ        ワッシャの波形成方向での端部
１０        カバー部材（防雪カバー）
１０Ｂ      スカート壁
１１        係合部
Ｓ          止着部
【図１】
2007218034.tif 000003
【図２】
2007218034.tif 000004
【図３】
2007218034.tif 000005
【図４】
2007218034.tif 000006
【図５】
2007218034.tif 000007
【図６】
2007218034.tif 000008